(57)【要約】【課題】多点測距可能なカメラにおいて、被写体の視認性を高め、且つ、どの被写体に合焦しているかを確実に認識できるかカメラを提供する。【解決手段】ＡＦ開始前は画面内の複数の位置におけるＡＦ枠を囲むように大きな枠で表示し、ＡＦ動作後は、ピント合わせが行なわれた位置の枠を表示する。【選択図】　　　図１
2004101632.tif 000002
【特許請求の範囲】
【請求項１】
一画面内の複数の位置に対してそれぞれピント合わせのための情報を形成するピント合わせ情報形成手段と、該情報の中からピント合わせに用いる情報を選択する選択手段とを備えたオートフォーカス装置を有するカメラにおいて、前記画面内で複数の位置を含む範囲を表示する第一の表示状態と、前記選択手段により選択された情報を形成した前記位置を前記第一の表示状態における表示範囲よりも狭い範囲で表示する第二の表示状態とを有する表示手段を備えたことを特徴とするカメラ。
【請求項２】
前記表示手段は前記選択手段にて情報の選択が行なわれる以前において前記第一の表示状態での表示を行い、前記選択手段にて情報の選択が行なわれた後に前記第二の表示状態での表示を行なう請求項１に記載のカメラ。
【請求項３】
一画面内の複数の位置に対してそれぞれピント合わせのための情報を形成するピント合わせ情報形成手段からの情報に基づいてフォーカスレンズによるピント合わせを行なうオートフォーカス装置を有するカメラにおいて、ピント合わせ前に前記画面内で複数の位置を含む範囲を表示する第一の表示状態と、ピント合わせ後にピント合わせが行なわれた画面内の位置を前記第一の表示状態における表示範囲よりも狭い範囲で表示する第二の表示状態を有する表示手段を備えたことを特徴とするオートフォーカス装置を有するカメラ。
【請求項４】
前記オートフォーカス装置は前記情報形成手段にて形成された各情報からピント合わせのための情報を選択する選択手段を有し、該選択手段にて選択された情報に応じてフォーカスレンズによるピント合わせを行なう請求項３に記載のカメラ。
【請求項５】
前記第二の表示状態は前記選択手段により選択されない情報を形成した位置を除いた状態で前記選択手段により選択された情報を形成した前記位置を表示する請求項１に記載のカメラ。
【請求項６】
前記第二の表示状態は前記ピント合わせが行なわれた位置を除いた状態でピント合わせが行なわれた位置を表示する請求項３に記載のカメラ。
【請求項７】
前記第二の表示状態は前記選択手段により選択された情報を形成した前記位置及び前記選択手段で選択された情報によりピント合わせを行なった場合に被写界深度内に入る情報を形成した位置を表示する請求項１に記載のカメラ。
【請求項８】
一画面内の複数の位置に対してそれぞれピント合わせのための情報を形成するピント合わせ情報形成手段からの情報に基づいてピント合わせを行なうオートフォーカス装置を有するカメラにおいて、画面内で前記複数の位置を表示する表示手段における前記位置の表示状態を前記ピント合わせ情報形成手段からの情報に応じて変更することを特徴とするカメラ。
【請求項９】
前記表示手段は前記複数の位置を枠で囲むことにより複数の位置を表示するとともに、該枠の大きさを前記ピント合わせ情報形成手段からの情報に応じて変更することを特徴とする請求項８に記載のカメラ。
【発明の詳細な説明】
【０００１】
【発明の属する技術分野】
本発明は、オートフォーカス装置を備えたカメラに関する。
【０００２】
【従来の技術】
近年、ＡＦ（オートフォーカス）性能の向上を目指し、ＡＦの測距枠（測定枠）数を増加させる傾向がある。
【０００３】
測距枠（測定枠）が一つの場合は、ユーザーに主要被写体を選択させる必要がある。すなわち、ユーザーはカメラの測距位置を主要被写体に合わせ測距したのち、構図を設定しなおしてから撮影を行う必要がある。
【０００４】
測距枠（測定枠）数を増加させる目的は、自動的に主要被写体を判別可能とし、主要被写体になるべく合焦させようとするためである。測距枠（測定枠）数を増やして自動的に主要被写体を判別しそこにフォーカスするよう構成することで、ユーザーは構図にのみ専念して撮影することが可能となる。
【０００５】
しかし、多くの場合、画面全体に測距ポイントを持つことはなく、ある限られた領域にのみ測距枠（測定枠）が存在する。したがって、その領域内に主要被写体を入れないとうまく合焦させることができない。
【０００６】
この問題を回避するため、測距枠（測定枠）が画面に対してどれくらいの領域を占めているかを画面に表示しユーザーに知らしめる方法がある。
【０００７】
その方法としては、各測距枠（測定枠）をすべて画面に表示する方法がある。
【０００８】
【発明が解決しようとする課題】
しかしながら、今後ＡＦ性能を向上するため枠数が多くなってくると、各枠をすべて画面に表示する方法では、画面上に多くの枠が表示されることにより被写体の視認性が悪くなり好ましくない。例えば、９点の測距点をもつカメラにおいて図９のように常時９枠表示していると被写体の表情などを見ながらシャッターを押すタイミングをつかむことが難しくなってしまう。
【０００９】
それに対して、大きな枠ひとつでＡＦ枠の範囲を示すことにより被写体を見やすくする方法が有効である。しかし、枠の中に被写体距離の異なる被写体が複数存在する場合があり、そのうちのどの被写体に合焦したのかわからなくなってしまう。
【００１０】
本発明は上記問題点を鑑みてなされたものであり、多点測距点を有し、オートフォーカスを行なうカメラにおいて、ユーザーの視認性を損ねることなく、測距枠（測定枠）の範囲および合焦した被写体を確実に知らしめることが可能な表示装置を提供することを目的とする。
【００１１】
【課題を解決するための手段】
請求項１の本発明は、一画面内の複数の位置に対してそれぞれピント合わせのための情報を形成するピント合わせ情報形成手段と、該情報の中からピント合わせに用いる情報を選択する選択手段とを備えたオートフォーカス装置を有するカメラにおいて、前記画面内で複数の位置を含む範囲を表示する第一の表示状態と、前記選択手段により選択された情報を形成した前記位置を前記第一の表示状態における表示範囲よりも狭い範囲で表示する第二の表示状態とを有する表示手段を備えたカメラを提供し、上記の目的を達成するものである。
【００１２】
請求項２の本発明は、請求項１のカメラにおいて、表示手段は前記選択手段にて情報の選択が行なわれる以前において前記第一の表示状態での表示を行い、前記選択手段にて情報の選択が行なわれた後に前記第二の表示状態での表示を行なうようにして上記の目的を達成するものである。
【００１３】
請求項３の本発明は、一画面内の複数の位置に対してそれぞれピント合わせのための情報を形成するピント合わせ情報形成手段からの情報に基づいてフォーカスレンズによるピント合わせを行なうオートフォーカス装置を有するカメラにおいて、ピント合わせ前に前記画面内で複数の位置を含む範囲を表示する第一の表示状態と、ピント合わせ後にピント合わせが行なわれた画面内の位置を前記第一の表示状態における表示範囲よりも狭い範囲で表示する第二の表示状態を有する表示手段を備えたオートフォーカス装置を有するカメラを提供し、上記の目的を達成するものである。
【００１４】
請求項４の本発明は、請求項３のカメラにおいて、前記オートフォーカス装置は前記情報形成手段にて形成された各情報からピント合わせのための情報を選択する選択手段を有し、該選択手段にて選択された情報に応じてフォーカスレンズによるピント合わせを行なうことで上記の目的を達成するものである。
【００１５】
請求項５の本発明は、請求項１のカメラにおいて、第二の表示状態は前記選択手段により選択されない情報を形成した位置を除いた状態で前記選択手段により選択された情報を形成した前記位置を表示するようにして上記の目的を達成するものである。
【００１６】
請求項６の本発明は、請求項３のカメラにおいて、前記第二の表示状態は前記ピント合わせが行なわれた位置を除いた状態でピント合わせが行なわれた位置を表示することで、上記の目的を達成するものである。
【００１７】
請求項７の本発明は、請求項１のカメラにおいて、前記第二の表示状態は前記選択手段により選択された情報を形成した前記位置及び前記選択手段で選択された情報によりピント合わせを行なった場合に被写界深度内に入る情報を形成した位置を表示することで上記の目的を達成するものである。
【００１８】
請求項８の本発明は、一画面内の複数の位置に対してそれぞれピント合わせのための情報を形成するピント合わせ情報形成手段からの情報に基づいてピント合わせを行なうオートフォーカス装置を有するカメラにおいて、画面内で前記複数の位置を表示する表示手段における前記位置の表示状態を前記ピント合わせ情報形成手段からの情報に応じて変更するカメラを提供し上記目的を達成するものである。
【００１９】
請求項９の本発明は、請求項８のカメラにおいて、前記表示手段は前記複数の位置を枠で囲むことにより複数の位置を表示するとともに、該枠の大きさを前記ピント合わせ情報形成手段からの情報に応じて変更することで上記の目的を達成するものである。
【００２０】
【発明の実施の形態】
以下、図面を参照してこの発明の実施形態について説明する。
【００２１】
（第一の実施の形態）
図１は、本発明の実施形態に従う多点測距可能なカメラ（撮像装置）の概略図である。
【００２２】
撮像装置１は、オートフォーカス部２、表示装置３、オートフォーカス実行判別部４、オートフォーカス結果取得部５、測距位置表示変更部（１）６、測距位置表示変更部（２）７からなる。その他、図示していない光学系や撮像部、記録部、制御部、シャッターボタンなどカメラとして動作するのに必要な機能を備えている。
【００２３】
動作を説明する。シャッターボタンが押されていない状態においては、オートフォーカス部２において合焦は達成されておらず、オートフォーカス実行判別部４において、オートフォーカスがまだ実行されていないと判断される。測距位置表示変更部（１）６において、その場合のＡＦ枠の表示方法を決定し表示装置３に表示する。
【００２４】
シャッターボタンが押された場合には、オートフォーカス部において合焦を達成する。また、オートフォーカス実行判別部においてオートフォーカスが実行されたと判断する。その場合、測距位置表示変更部（１）によりＡＦ枠の表示方法を変更することを決定し、さらには、オートフォーカス結果取得部５において、各枠の測距結果を取得し、測距位置表示変更部（２）７において、この場合のＡＦ枠の表示方法を決定し、表示装置で表示を行う。
【００２５】
図２を用いてより詳細に説明する。図２は、ＡＦ枠の表示にかかわる部分の制御フローである。また、図３のように測距点として縦３列、横３行の９つのポイントを持つものとして説明を行う。
【００２６】
図２のＳｔｅｐ１において、オートフォーカスがされているかどうかのＡＦ判定信号ＡＦ＿ｆｌｇをされていない状態に初期化する（ＡＦ＿ｆｌｇ＝０）。
【００２７】
Ｓｔｅｐ２では、オートフォーカス実行判別部４においてＡＦ判定信号の状態を判断し、ＡＦ＿ｆｌｇ＝０の時はＳｔｅｐ３に進み、ＡＦ＿ｆｌｇ＝１の時はＳｔｅｐ８に進む。
【００２８】
Ｓｔｅｐ３では、ＡＦ枠表示方法を決定し、例えば図４のような枠をｓｔｅｐ４において表示する。また、明示していないが表示画面には被写体が表示されており、この被写体の上に重ねてＡＦ枠が表示される。図４のように、大きな枠を表示することにより枠数によらず表示画面を見やすくすることが可能である。
【００２９】
Ｓｔｅｐ５では、シャッターが半押しされているかどうかを判定する。半押しの判定は次のように構成されたシャッタースイッチ１およびシャッタースイッチ２を用いて判定する。シャッタースイッチは、押されるとはじめに１がＯＮとなり、さらに押されると２もＯＮとなるよう構成される。このシャッタースイッチを用いて図５のように半押しの判定をする。すなわち、スイッチ１がＯＮでスイッチ２がＯＦＦの場合に半押しと判定される。その他、スイッチ１、２ともＯＮの時はシャッター切りと判定し、スイッチ１、２ともＯＦＦの時はシャッターが押されていないと判定する。
【００３０】
半押しと判定された場合にはＳｔｅｐ６に進み、そうでない場合はＳｔｅｐ４に戻る。
【００３１】
Ｓｔｅｐ６では、ＡＦ動作を行い合焦させる。オートフォーカス部は画面の複数の異なる位置（この位置は前記図４のように各位置を含む範囲枠で囲まれる）における像を各位置で検知して各位置における像に対してピント合わせを行なうための情報を形成するとともに、各情報の中から実際にピント合わせを行なう情報（位置）を不図示の選択手段で選択し、該選択された情報に基づいてフォーカスレンズを駆動し、該選択された位置における対象に対してのピント合わせを行なう。
【００３２】
Ｓｔｅｐ７では、ＡＦ判定信号ＡＦ＿ｆｌｇ＝１に変更し、Ｓｔｅｐ２に戻る。
【００３３】
Ｓｔｅｐ８では、オートフォーカス結果取得部５において、各枠の合焦状態を取得する（前記ピント合わせが行なわれた画面の位置を合焦として検知する）。
【００３４】
Ｓｔｅｐ９では、測距位置表示変更部（２）７において、上記合焦状態に応じてＡＦ枠の表示方法を変更する。すなわち、合焦した枠（前記合焦として検知された位置に対応する画面内の位置）については表示を行うよう決定し、合焦していない枠については表示を行わないよう決定し、Ｓｔｅｐ１０において表示する。例えば、中央枠を合焦とした場合には図６のように中央枠のみ表示する。
【００３５】
Ｓｔｅｐ１１では、シャッターが切られたかどうかを判定し、Ｙｅｓの場合はＳｔｅｐ１に戻り、Ｎｏの場合はＳｔｅｐ１０に戻る。
【００３６】
以上のように構成することで、シャッターボタンが押されていない状態では大きなＡＦ枠が表示され、半押しした場合には合焦した枠のみが表示されるため、視認性のよく、かつ、どの被写体に合焦したかを表示することが可能となる。
【００３７】
（第二の実施の形態）
本実施の形態では、第一の実施の形態における合焦後のＡＦ枠の表示に関して、合焦した枠のみではなく、被写界深度に入る枠についても表示するよう構成するものである。
【００３８】
すなわち、ＡＦ枠が複数ある場合、各枠位置にさまざまな撮影距離の被写体が存在し、それぞれの枠で合焦するためのフォーカスレンズ位置が異なる。しかしながら、中には合焦した枠と被写体距離が近い枠が存在する場合があり、その際合焦枠以外の枠についても合焦状態を表示することはユーザーにとってメリットがある。
【００３９】
第一の実施の形態からの変更は図２のフローにおけるＳｔｅｐ８及びＳｔｅｐ９の中身を変更するだけでよい。
【００４０】
図７にＳｔｅｐ９の中身に関するフローを示す。尚Ｓｔｅｐ８では合焦した位置の情報の他に、前記各位置での像に対してピント合わせを行なうための情報を取得するようにする。
【００４１】
Ｓｔｅｐ９Ａにおいて、合焦した枠を表示するよう決定する。
【００４２】
Ｓｔｅｐ９Ｂでは、合焦位置のピント合わせ情報と、その他の各位置の情報の差が所定範囲内かどうかを検知して深度内の位置及びその位置に対応する枠の位置を決定する各ＡＦ枠における被写体が被写界深度内に入っているかどうかを計算する。例えば、フォーカスレンズの位置を合焦状態で０とすると、±Ａステップを深度内であるとあらかじめ決定しておくことにより、以下の条件を用いて枠Ｉが被写界深度内であると判定することができる。すなわち、各枠で合焦するフォーカスレンズ位置（各位置でのピント合わせ情報）をＳｔｅｐＩ、シャッターを切るフォーカスレンズ位置（実際のピント合わせのレンズ位置、この位置でのピント合わせ情報）ＳｔｅｐＳ、許容ステップ数をＡとすると、
｜ＳｔｅｐＩ　　ＳｔｅｐＳ｜　≦　Ａ．
Ｓｔｅｐ９Ｃでは、その結果を使って被写界深度内に入る枠を表示するよう追加する。
【００４３】
例えば、画像中央で合焦し、またその両隣の枠が深度内に入るような場合には、図８のように表示する。
【００４４】
以上のように構成することで、合焦したＡＦ枠および被写界深度に入る枠を表示することが可能となる。
【００４５】
以上の実施の形態においては、ＡＦ枠の大きさを変更する場合について説明したが、合焦後のＡＦ枠を丸などのしるしで表示してもよいし、色を使って表示するよう構成してもよい。
本発明は、カメラとしては、デジタルカメラ、銀塩カメラ、ビデオカメラなどに適応できる。また、カメラ以外でもオートフォーカス装置を備えた装置にも適応できる。
【００４６】
【発明の効果】
以上のように構成することで、ＡＦ枠の大きさを視認性よく表示することが可能となり、また、複数の被写体がＡＦ枠内に存在する場合でもどの被写体に合焦したかを表示することが可能となる。
【図面の簡単な説明】
【図１】本発明の第１実施形態に従う撮像装置の概略構成を示すブロック図である。
【図２】ＡＦ枠の表示のフローを示した図である。
【図３】第１実施形態に従う多点測距の枠を示した図である。
【図４】シャッタースイッチが押されていない状態でのＡＦ枠の表示状態例を示した図である。
【図５】シャッタースイッチの状態を分類した図である。
【図６】第１実施形態に従うシャッタースイッチが半押しされた状態でのＡＦ枠の表示状態例を示した図である。
【図７】本発明の第２実施形態に従うＡＦ枠の表示フローを示した図である。
【図８】第２実施形態に従うシャッタースイッチが半押しされた状態でのＡＦ枠の表示状態例を示した図である。
【図９】従来のＡＦ枠表示例を示した図である。
【符号の説明】
１　撮像装置
２　オートフォーカス部
３　表示装置
４　オートフォーカス実行判別部
５　オートフォーカス結果取得部
６　測距位置表示変更部（１）
７　測距位置表示変更部（２）
【図１】
2004101632.tif 000003
【図２】
2004101632.tif 000004
【図３】
2004101632.tif 000005
【図４】
2004101632.tif 000006
【図５】
2004101632.tif 000007
【図６】
2004101632.tif 000008
【図７】
2004101632.tif 000009
【図８】
2004101632.tif 000010
【図９】
2004101632.tif 000011